(57)【要約】      （修正有）【課題】毛筆の代わりに使用して独特の興趣を有する書や絵を容易に描ける竹筆及びその製造法を提供する。【解決手段】  所要長さと太さとを有する竹の根１０を水洗して所要期間乾燥させ、表面を軽く焼き、焦げた部分を取り除き、所要長さに切断し、表面に美化・防湿剤を塗装し、竹の根の先端を毛筆状に切削して円錐形に尖らせた筆記部１２とし、毛筆状円錐形筆記部に隣接する竹の根の周囲で直径線上に複数の墨汁吸収用透孔１４を穿設して成る竹筆。【選択図】    図１
2005059270.tif 000002
【特許請求の範囲】
【請求項１】
所要長さと太さとを有する竹の根を水洗して所要期間乾燥させる工程と；
該竹の根の表面を軽く焼き、焦げた部分を取り除く工程と；
該竹の根を所要長さに切断する工程と；
該竹の根の表面に美化・防湿剤を塗装する工程と；
該竹の根の先端を毛筆状に切削して円錐形に尖らせた筆記部とする工程と；
該毛筆状円錐形筆記部に隣接する該竹の根の周囲で直径線上に複数の墨汁吸収用透孔を穿設する工程と；
とから成る竹筆の製造法である。
【請求項２】
該竹の根の長さを２５ｃｍ〜２６ｃｍとし、表面に塗布する酒精ワニスの透明美化・防湿剤の塗膜の厚みを１ｍｍとし、該竹の根表面に穿設される墨汁吸収用透孔の直径を５ｍｍとして成る請求項１記載の竹筆の製造法。
【請求項３】
該竹の根を真竹として成る請求項１記載の竹筆の製造法。
【請求項４】
該竹の根を孟宗竹として成る請求項１記載の竹筆の製造法。
【請求項５】
水洗、乾燥させた竹の根を軽く焼いて焦げをとり、表面に塗布した酒精ワニスの透明美化・防湿剤の塗膜の厚みを１ｍｍとし、先端を切削して毛筆状円錐形に尖らせた毛筆状円錐形筆記部とし、該毛筆状円錐形筆記部に隣接する該竹の根の周囲で直径線上に直径５ｍｍの複数の墨汁吸収用透孔を穿設して成る竹筆。
【発明の詳細な説明】
【技術分野】
【０００１】
この発明は、竹筆及びその製造法に関し、更に詳しくは竹の根を加工して毛筆の様な円錐形筆記部とし、竹の根本体に墨汁吸収用透孔を形成した構成とし、毛筆の代わりに使用して独特の興趣を有する書や絵を容易に描ける竹筆及びその製造法に関する。
【背景技術】
【０００２】
筆記具には、ペン、鉛筆、万年筆、毛筆等があり、古くから書や絵を書くには殆ど毛筆が使用されており、特に書を毛筆以外の筆記具により書くことは考えられなかった。
【特許文献１】各種の筆記具例えば、実開平６−６３９８；等が挙げられる。
【発明の開示】
【発明が解決しようとする課題】
【０００３】
一般に毛筆は、竹製、木製、合成樹脂製軸の先端に、たぬき、羊、狐、鹿、かもしか、てん、いのしし、豚、猫、犬、鼠、りす等の動物の毛を糊で固めて穂先を細く尖らせ、又は固めない構成とし、該穂先に墨を付けて所望の書や絵を書くものである。
【０００４】
竹の種類は、真竹（苦竹）、葉竹（淡竹）、孟宗竹、女竹、矢竹、四角竹（しほうちく）、雲母竹、積丹竹、黒竹（島竹、柴竹ともいう）、きっこう竹、柴竹、ごま竹等がある。従来、竹は強靭な性質を有するのでそれを使用した製品としては、竹合板等の建築材、工芸材、器具材、釣竿、すだれ、食品・料理用の簾、ブラインド、かご類等が提案されている。
【０００５】
しかし、竹の根を加工して毛筆の代わりに書や絵を容易に描ける竹筆は、今だ提案されていない。
【０００６】
竹は、いね科の単子葉常緑植物に属し、桿が木質化する多年生の植物であり、弾力に富み、真っ直ぐに伸びる性質を有する。
【０００７】
日本産の竹は、中空の円筒で、節と節間とから成り、竹材の肉部には、厚膜繊維の集合した部分を散点し、この繊維が竹の強固性を保持している。
【０００８】
この発明者は、長年竹筆の研究、開発に従事した結果、日本に植生する１０数種類の竹の中で真竹と孟宗竹の根が最も竹筆に適することを発見し、この発明の竹筆の開発に至ったものであり、この竹筆は、その本体ではなく竹の根を加工して製造することに特徴を有するものである。
【課題を解決するための手段】
【０００９】
この発明は、前述の課題を解決するものであり、その第１要旨は、水洗して所要期間乾燥させた所要長さと太さとを有する竹の根を所要長さに切断し、表面を軽く焼き、焦げた部分を取り除き、表面に美化・防湿剤を塗装し、竹の根の先端を毛筆状に切削して円錐形に尖らせた筆記部とし、該毛筆状円錐形筆記部に隣接する該竹の根の周囲で直径線上に複数の墨汁吸収用透孔を穿設して成る竹筆の製造法である。
【００１０】
その第２要旨は、所要長さと太さとを有する竹の根の先端を毛筆状に切削して円錐形に尖らせて筆記部とし、該毛筆状円錐形筆記部に隣接する該竹の根の周囲で直径線上に複数の墨吸収用透孔を穿設して成る竹筆である。
【発明の効果】
【００１１】
（１）この発明に係る製造法により製造した竹筆によれば、その先端の毛筆状円錐形筆記部を墨汁（液墨）内に浸漬けし、手首を使って所望の書や絵を書けば、毛筆状円錐形筆記部に隣接する竹の根周囲の複数の墨汁吸収用透孔内や円錐形面に付着した墨汁により所望の独特で興趣ある書や絵を容易に書くことが出来る。
【００１２】
（２）この発明に係る竹筆によれば、一度その先端の毛筆状円錐形筆記部を墨汁（液墨）内に浸漬けすれば、墨吸収用透孔内の墨汁（液墨）が根の厚膜繊維の毛細管現象により所望の独特で興趣ある書や絵を長く書くことが出来、例えば書に練達した書家等は一度毛筆状円錐形筆記部に墨汁（液墨）を付けただけで「い、ろ、は、に・・・・え、ひ、も、す、ん」の平仮名４８文字を墨継ぎ無しに一気に書くことが出来る。
【００１３】
（３）図４に示す通り、この発明に係る竹筆は、毛筆と比較して文字又は絵に見事なかすれが生じ、独特の風情、趣が得られる。
【００１４】
（４）この発明に係る竹筆では、和紙又は色紙等に書した時毛筆とは異なる美麗で力強い書体や墨絵等が描けるものである。
【００１５】
（５）毛筆は使用回数により磨耗が激しいので直ぐ新しいものと交換する必要があるが、この発明に係る竹筆は竹の根を加工したので相当回数使用しても磨耗しないので長く使用可能となる。
【００１６】
（６）毛筆は、使用後水洗した筆先を下に向けて乾燥させる等の手間がかかる。しかし、この発明の竹筆は、使用後の水洗、乾燥等の処理が必要なくなり、思いついた時に書や絵を直ぐ書ける様になる。
【００１７】
（７）この発明に係る竹筆は、表面を軽く焼き、且つ表面に美化・防湿剤として酒精ワニス等を塗布したので、表面の光沢と硬さが良くなり、腐敗菌等によって腐敗しない。
【発明を実施するための最良の形態】
【００１８】
この発明に係る毛筆は、水洗して所要期間乾燥させた所要長さと太さとを有する竹の根の表面を軽く焼き、焦げた部分を取り除き、所要長さに切断し、表面に美化・防湿剤を塗装し、竹の根の先端を毛筆状に切削して円錐形に尖らせて筆記部とし、該毛筆状円錐形筆記部に隣接する該竹の根の周囲で直径線上に複数の墨汁吸収用透孔を穿設して成る竹筆の製造法とこの製造法により製造した竹筆である。
【実施例】
【００１９】
請求項１に於いて、地中から掘り出した所要長さと太さとを有する真竹又は孟宗竹の根１０を水洗し、乾燥させる。乾燥期間は、夏場は３週間、冬場は２週間で充分である。
【００２０】
請求項２に於いて、乾燥した該真竹又は孟宗竹の竹の根１０を軽く焼き、焦げた部分をタワシ等で擦って取り除き、表面に塗布される美化・防湿剤の酒精ワニス塗膜の厚みを１ｍｍとし、筆の長さを所望の長さ例えば２５ｃｍ〜２６ｃｍに切断する。
【００２１】
該竹の根１０の先端を毛筆状に切削して円錐形に尖らせて筆記部１２とし、該毛筆状円錐形筆記部１２に隣接する竹の根１０の周囲で直径線上に複数の墨汁吸収用透孔１４を穿設する。
【００２２】
請求項３に於いて、該竹の根１０を真竹とし、請求項４に於いては、該竹の根１０を孟宗竹とする。
【００２３】
請求項５に於いて、水洗、乾燥させた竹の根１０を軽く焼いて焦げをとり、表面に塗布した酒精ワニスの透明美化・防湿剤の塗膜の厚みを１ｍｍとし、先端を切削して毛筆状円錐形に尖らせた毛筆状円錐形筆記部１２とし、該毛筆状円錐形筆記部１２に隣接する該竹の根１０の周囲で直径線上に直径５ｍｍの複数の墨汁吸収用透孔１４を穿設して成る竹筆とする。
【００２４】
この発明に係る竹筆の使用法は、細字の場合墨汁を付けた竹筆を垂直状に使用し、太字の場合は、竹筆の持ち方を工夫して該毛筆状円錐形筆記部１２の腹を紙に接触させて書けば前述の様な「かすれ」が得られる。
【図面の簡単な説明】
【００２５】
【図１】この発明に係る竹筆の実施例の斜視図である。
【図２】図１に示す竹筆の１１−１１線断面図である。
【図３】図１に示す竹筆の１１１−１１１線断面図である。
【図４】この発明に係る竹筆によりかいた書の正面図である。
【符号の説明】
【００２６】
１０      竹の根；。
１２      筆記部；
１４      墨汁吸収用透孔。
【図１】
2005059270.tif 000003
【図２】
2005059270.tif 000004
【図３】
2005059270.tif 000005
【図４】
2005059270.tif 000006